(57)【特許請求の範囲】
【請求項１】
次回の出湯開始当初から適温の湯を供給するために通水の無い状態でバーナを燃焼させて熱交換器内の滞留水を保温する即湯機能を備えた給湯機において、
前記バーナの燃焼量と前記バーナへの給気量とを制御する燃焼状態制御手段を備え、
前記燃焼状態制御手段は、前記即湯機能のために通水の無い状態で前記バーナを燃焼させる際の空気比を、通水のある状態で前記バーナを燃焼させる際の空気比よりも前記熱交換器での吸熱量が低下する位大きく設定することを特徴とする給湯機。
【請求項２】
次回の出湯開始当初から適温の湯を供給するために通水の無い状態でバーナを燃焼させて熱交換器内の滞留水を保温する即湯機能を備えた給湯機において、
前記バーナの燃焼をオンオフ制御するオンオフ燃焼制御手段と、前記バーナの燃焼量と前記バーナへの給気量とを制御する燃焼状態制御手段と、前記滞留水の温度を検知する湯温検知手段とを備え、
前記オンオフ燃焼制御手段は、前記即湯機能のために通水の無い状態で前記バーナを燃焼させる際に、前記滞留水が沸騰しないように前記湯温検知手段の検知する湯温に基づいて前記バーナの燃焼をオンオフ制御し、
前記燃焼状態制御手段は、前記即湯機能のために通水の無い状態で前記バーナを燃焼させる際の空気比を、通水のある状態で前記バーナを燃焼させる際の空気比よりも前記熱交換器での吸熱量が低下する位大きく設定することを特徴とする給湯機。
【請求項３】
前記即湯機能のために通水の無い状態で前記バーナを燃焼させる際の燃焼量を前記バーナが適正に燃焼し得る範囲内の最小燃焼量に設定することを特徴とする請求項１または２記載の給湯機。
【発明の詳細な説明】
【０００１】
【発明の属する技術分野】
本発明は、次回の出湯開始当初から適温の湯を供給するために通水の無い状態でバーナを燃焼させて熱交換器内の滞留水を保温する即湯機能を備えた給湯機に関する。
【０００２】
【従来の技術】
近年、給湯機では、その快適性をより向上させるため、出湯当初からほぼ設定温度の湯を出すべく、通水の無い状態で熱交換器内の湯を所定温度範囲に保温する機能を備えたものがある。かかる給湯機では、通常、熱交換器内に滞留する滞留水の湯温を温度センサで監視し、湯温が目標温度範囲内に収まるようにバーナの燃焼を制御している。
【０００３】
通水の無い状態でバーナを点火すると、熱交換器内の滞留水が急速に温度上昇するので、バーナからの熱を直接受ける箇所での部分沸騰や、管内の温度ムラに起因して出湯開始直後に予期せぬ高温の湯が一時的に出てしまうことを低減するために、保温中は、適正に燃焼し得る範囲内の最小燃焼量でバーナを燃焼させている。さらに、当該最小燃焼量でも、また加熱量が大き過ぎるので、通常は、バーナを間欠的に燃焼させている。たとえば、目標温度範囲の下限まで湯温が低下するごとに、最小燃焼量で２秒程度の短時間だけバーナを燃焼させることを、保温中、間欠的に繰り返し行っている。
【０００４】
【発明が解決しようとする課題】
しかしながら、１回の燃焼時間が２秒程度と短いので、バーナの点火回数が激増し、点火装置の耐久上、好ましくない。また最小燃焼量まで燃焼量を下げても、まだ、加熱量が大きく部分的な温度ムラが生じるので、加熱中等に開栓された場合に許容誤差範囲を越える高温の湯が出湯されて利用者に不快感を与えたり、熱交換器にひずみが生じ易く、耐久上の問題がある。
【０００５】
本発明は、このような従来の技術が有する問題点に着目してなされたもので、通水の無い状態でバーナを燃焼させて熱交換器内の滞留水を保温する際に、熱交換器内の温度ムラが少なくかつ１回当たりのバーナの燃焼時間を長くすることのできる給湯機を提供することを目的としている。
【０００６】
【課題を解決するための手段】
かかる目的を達成するための本発明の要旨とするところは、次の各項の発明に存する。
［１］次回の出湯開始当初から適温の湯を供給するために通水の無い状態でバーナ（１２）を燃焼させて熱交換器（１１）内の滞留水を保温する即湯機能を備えた給湯機において、
前記バーナ（１２）の燃焼量と前記バーナ（１２）への給気量とを制御する燃焼状態制御手段（８２）を備え、
前記燃焼状態制御手段（８２）は、前記即湯機能のために通水の無い状態で前記バーナ（１２）を燃焼させる際の空気比を、通水のある状態で前記バーナ（１２）を燃焼させる際の空気比よりも前記熱交換器（１１）での吸熱量が低下する位大きく設定することを特徴とする給湯機。
【０００７】
［２］次回の出湯開始当初から適温の湯を供給するために通水の無い状態でバーナ（１２）を燃焼させて熱交換器（１１）内の滞留水を保温する即湯機能を備えた給湯機において、
前記バーナ（１２）の燃焼をオンオフ制御するオンオフ燃焼制御手段（８１）と、前記バーナ（１２）の燃焼量と前記バーナ（１２）への給気量とを制御する燃焼状態制御手段（８２）と、前記滞留水の温度を検知する湯温検知手段（２６）とを備え、
前記オンオフ燃焼制御手段（８１）は、前記即湯機能のために通水の無い状態で前記バーナ（１２）を燃焼させる際に、前記滞留水が沸騰しないように前記湯温検知手段（２６）の検知する湯温に基づいて前記バーナ（１２）の燃焼をオンオフ制御し、
前記燃焼状態制御手段（８２）は、前記即湯機能のために通水の無い状態で前記バーナ（１２）を燃焼させる際の空気比を、通水のある状態で前記バーナ（１２）を燃焼させる際の空気比よりも前記熱交換器（１１）での吸熱量が低下する位大きく設定することを特徴とする給湯機。
【０００８】
［３］前記即湯機能のために通水の無い状態で前記バーナ（１２）を燃焼させる際の燃焼量を前記バーナ（１２）が適正に燃焼し得る範囲内の最小燃焼量に設定することを特徴とする［１］または［２］記載の給湯機。
【０００９】
前記本発明は次のように作用する。
燃焼状態制御手段（８２）は、即湯機能のために通水の無い状態でバーナを燃焼させる際の空気比を、通水のある状態でバーナ（１２）を燃焼させる際の空気比よりも大きくする。これにより、バーナ（１２）からの発熱量が同一であっても、給排気量が増えるので、熱交換器（１１）に吸収される熱量が低下する。
【００１０】
たとえば、バーナ（１２）に供給するガス量を最小燃焼量にしたままで、通常よりも空気比を大きくすれば（給気量を増やす）、熱交換器（１１）での吸熱量がより一層減少し、バーナ（１２）の燃焼時間を長くすることができる。これにより保温中の点火回数が減少し、点火装置の劣化低減を図ることができる。また管内の温度ムラが少なくなり、予期せぬ高温の湯が出てしまうことが防止されるとともに熱交換器（１１）のひずみが少なくなる。
【００１１】
なお、空気比を大きくすることで、熱交換器（１１）の吸熱量が十分低下した場合には、即湯機能をオンにしている間、バーナ（１２）を連続燃焼させるようにしてもよい。
【００１２】
【発明の実施の形態】
以下、図面に基づき本発明の一実施の形態を説明する。
各図は本発明の一実施の形態を示している。
図１に示すように、本実施の形態にかかる給湯機１０は、給水を加熱するための給湯流路２０と、浴槽６０内の湯を追い焚きするための追い焚き流路４０の双方が共通の熱交換器１１を通る、いわゆる一缶二水路型のものである。熱交換器１１の下方には、これを加熱するためのバーナ１２が配置してあり、バーナ１２には、燃焼ガスの供給路であるガス供給管１３が接続されている。またガス供給管１３の途中には、燃焼ガスの供給量を調整するためのガス量調整弁１４（比例弁）が取り付けられている。
【００１３】
給湯流路２０は、熱交換器１１のフィンプレートから受熱する配管部分である給湯系受熱管２１と、給湯系受熱管２１の入口部に通じ、給水の流れ込み側となる給水管２２と、給湯系受熱管２１の出口部から延びる給湯管２３とから構成されている。給水管２２には、流入する給水の温度（入水温度）を検知するための入水サーミスタ２４と、通水の通水量を検知するための流量センサー２５が設けられている。
【００１４】
また、給湯系受熱管２１のうち、熱交換器１１の外部で折り返すＵベンド部には、当該部分における水温を検知する水管サーミスタ２６が設けてある。給湯系受熱管２１の出口部近傍には、給湯系受熱管２１で加熱された後の水温（熱交内水温）を検知する熱交サーミスタ２７が配置されている。
【００１５】
給湯管２３のうち熱交サーミスタ２７よりも下流側の所定箇所と給水管２２のうち流量センサー２５より上流側の所定箇所との間は、熱交換器１１を介さずに給水を給湯管２３へ送り込むためのバイパス通路２８によって接続されている。また、当該バイパス通路２８の途中には、熱交換器１１を迂回させる給水の流量を調整するためのバイパス流量制御弁２８ａが設けられている。
【００１６】
給湯管２３には、バイパス通路２８との接続位置よりも下流側の箇所に、熱交換器１１で加熱された湯とバイパス通路２８を通じて熱交換器１１を迂回した給水とがミキシングされた後の水温（出湯温度）を検知するための出湯サーミスタ２９が配置されている。また給湯管２３には、バイパス通路２８との接続位置よりも上流側の箇所に出湯量を調整するための流量制御弁３０が設けられている。
【００１７】
追い焚き流路４０は、熱交換器１１のフィンプレートから受熱する配管部分である追い焚き系受熱管４１と、追い焚き系受熱管４１の一端部（追い焚き循環時における入口側）と浴槽６０との間を接続する追い焚き戻り管４２と、追い焚き系受熱管４１の他端部と浴槽６０との間を接続する追い焚き往き管４３とから構成されている。追い焚き戻り管４２の途中には、浴槽６０内の湯を追い焚き系受熱管４１に向けて送る循環ポンプ４４と、循環する水の温度を検出する風呂サーミスタ４５と、循環ポンプ４４を回した際に追い焚き戻り管４２内を水が流れるか否かを検知する流水スイッチ４６とが設けられている。
【００１８】
追い焚き戻り管４２のうち循環ポンプ４４よりも追い焚き系受熱管４１側の所定箇所と給湯管２３のうち出湯サーミスタ２９よりも下流側の所定箇所との間は、給湯管２３内の水を追い焚き流路４０に送り込むための連絡路５０によって接続されている。また、連絡路５０の途中には、給湯管２３からの水を追い焚き戻り管４２に流すか否かを切り替えるための切替弁５１が設けられている。切替弁５１を開くことにより、給湯流路２０側で加熱された湯を浴槽６０へ注ぎ込むことが可能になっている。
【００１９】
排気通路内には、燃焼ファン１７が配置されており、バーナ１２への給気および排気の排出は、当該燃焼ファン１７によって排気側から空気を吸い出すことで行われるようになっている。
【００２０】
給湯機１０は、給湯動作、注湯動作、追い焚き動作など各種の動作のほか、次回の出湯開始当初から設定温度に近い温度の湯をすぐに出湯するために、通水の無い状態でバーナ１２を燃焼させて給湯流路２０内に滞留する水（滞留水）を所定の目標温度範囲内に保温する即湯機能の実行（即湯運転）を制御するための制御部８０を備えている。
【００２１】
制御部８０には、出湯温度の設定や、風呂の追い焚き指示あるいは即湯機能をオンにするか否かの指示等を入力するためのリモコン９０が接続されている。このリモコン９０は浴室等に設置されるものである。制御部８０には、ガス量調整弁１４、入水サーミスタ２４、流量センサー２５、水管サーミスタ２６、熱交サーミスタ２７、出湯サーミスタ２９、循環ポンプ４４、切替弁５１、燃焼ファン１７等の各種の制御部品やセンサ類が電気的に接続されている。
【００２２】
制御部８０は、オンオフ燃焼制御手段８１と、燃焼状態制御手段８２と、使用状態判別手段８３とを備えている。このうち、使用状態判別手段８３は、給湯のみを単独で使用する給湯単独使用の状態にあるか否か、追い焚きのみを単独で使用する追い焚き単独使用の状態にあるか、給湯と追い焚きとを同時に使用する同時使用の状態にあるか、あるいは、追い焚きも給湯も無く次回の出湯を待機する待機状態にあるか否かを判別する回路部分である。使用状態判別手段８３は、リモコン９０からの追い焚き指示の有無や流水スイッチ４６のオンオフ状態および内部の動作フラグ等を基にして追い焚きが動作中か否かを判別し、流量センサー２５のオンオフを基にして給湯側を使用しているか否かを判別するようになっている。
【００２３】
オンオフ燃焼制御手段８１は、バーナ１２の燃焼のオンオフ制御を行う回路部分である。オンオフ燃焼制御手段８１は、即湯運転中は、水管サーミスタ２６の検知する給湯系受熱管２１内の湯温に基づいてバーナ１２の燃焼をオンオフ制御するようになっている。より具体的には、予め定めた燃焼オフ温度（たとえば、８５℃）を越えたときバーナ１２の燃焼をオフにし、水管サーミスタ２６の検知する温度が、予め定めた燃焼オン温度（たとえば、８４℃）よりも低下したときバーナ１２の燃焼をオンにすることを繰り返すようになっている。
【００２４】
燃焼状態制御手段８２は、バーナ１２の燃焼量とバーナ１２への給気量を調整することで所望の値に空気比を制御する回路部分である。燃焼量は、ガス量調整弁１４の開度（実際には、ガス量調整弁１４に供給する比例弁電流の値）によって制御し、給気量は、燃焼ファン１７の回転数によって制御する。なお、即湯運転中にバーナ１２を燃焼させる際の燃焼量は、予め定めた最小燃焼量に固定的に設定される。一方、出湯中の燃焼量は、給水温度と設定温度等に基づくフィードフォワード制御に出湯サーミスタ２９の検知する出湯温度を基準としたフィードフォワード制御を加えた形態で制御される。
【００２５】
燃焼状態制御手段８２は、給湯動作など通水のある状態でバーナ１２を燃焼させる際の空気比が１．９になるように、また即湯運転中に通水の無い状態でバーナ１２を燃焼させる際の空気比が２．５になるように、ガス供給量と給気量とを調整するようになっている。
【００２６】
図２は、二酸化炭素と一酸化炭素濃度比率と空気比との関係を示している。給湯動作や追い焚き動作あるいは同時運転中など、通水のある状態でバーナ１２を燃焼させる際には、熱交換器１１の吸熱効率が高くかつ燃焼ファン１７の騒音レベルが下がるように、比較的低い空気比（図中の点１０１の近傍領域１０２で、ここでは、空気比１．９）で燃焼が行われる。一方、即湯運転中は、ＣＯ濃度が許容範囲値１０３以下に収まる中で比較的高い空気比（図中の点１０４の近傍領域１０５で、ここでは、空気比２．５）で燃焼が行われる。
【００２７】
次に作用を説明する。
図３は、給湯機１０の行う動作の流れを示している。ここでは、即湯機能をオンに設定した場合には、通水の停止後、４５分間、バーナ１２内の滞留水を保温するようになっている。まず、運転状態に入った後、通水が有るか否かを判定し（ステップＳ２０１）、通水が無い場合は（ステップＳ２０１；Ｙ）、即湯機能がオンであることと、済みフラグがセットされていないことの確認を行う（ステップＳ２０２；Ｙ、Ｓ２０３；Ｎ）。
【００２８】
ここで、即湯機能がオフの場合は（ステップＳ２０２；Ｎ）、バーナ１２内の滞留水を保温する旨の指示を受け付けていないので、ステップＳ２０１へ戻る。また、済みフラグは、前回の通水停止から４５分間に渡る即湯運転の実行が既に終了しているか否かを示すものであり、セット状態にあるとき、実行済みであることを示している。したがって、済みフラグがセットされている場合も（ステップＳ２０３；Ｙ）、ステップＳ２０１に戻り、以後は、即湯運転を行うことなく次回の通水を待つことになる。
【００２９】
即湯機能がオンで（ステップＳ２０２；Ｙ）かつ済みフラグが未セットの場合には（ステップＳ２０３；Ｎ）、４５分間のタイマがセット済みか否かを調べ（ステップＳ２０４）、未セットの場合には、タイマのセットを行う（ステップＳ２０５）。
【００３０】
次に、空気比の指示値を２．５に設定し（ステップＳ２０６）、燃焼量の指示値を予め定めた最小燃焼量（逆火が起こらずに適正な燃焼状態が得られる範囲内の最小燃焼量）に設定する（ステップＳ２０７）。そして、水管サーミスタ２６の検出する滞留水の温度が予め定めた燃焼オン温度以下の場合には、バーナ１２を上述の最小燃焼量で燃焼させるとともに、空気比が２．５になるように燃焼ファン１７の回転数を設定する（ステップＳ２０９）。
【００３１】
水管サーミスタ２６の検出する温度が、燃焼オン温度以上であって（ステップＳ２０８；Ｙ）予め定めた燃焼オフ温度以下の場合には（ステップＳ２１０；Ｙ）、バーナ１２の燃焼をオフにするとともに燃焼ファン１７を停止させる（ステップＳ２１１）。水管サーミスタ２６の検出する湯温が燃焼オン温度と燃焼オフ温度の間にあるときは（ステップＳ２１０；Ｎ）、バーナ１２の燃焼をそのまま維持する。
【００３２】
ここで、即湯運転を開始してから４５分が経過して規定時間がタイムアップしているときは（ステップＳ２１２；Ｙ）、バーナ１２をオフにするとともに（ステップＳ２１３）済みフラグをセットし（ステップＳ２１４）、ステップＳ２０１に戻る。これにより、次回の通水開始し、それが終了するまでは即湯運転が行われなくなる。
【００３３】
タイムアップしていないときは、そのままステップＳ２０１に戻る。これにより、即湯機能がオンに設定されたままで通水が開始しなければ、４５分間に渡って即湯運転が継続することになる。この即湯運転中にバーナ１２を燃焼させる際には、上述のように空気比が２．５と通水のある場合の空気比１．９よりも大きく設定されるので、給排気量が通常よりも増加し、熱交換器１１を通る給湯系受熱管２１の吸熱量が低下する。その結果、滞留水の温度上昇勾配が緩やかになり、１回当たりのバーナ１２の燃焼時間が長くなって、即湯運転中の点火回数が減少し、点火装置の劣化低減を図ることができる。
【００３４】
また吸熱量が少なくかつ長い時間に渡って加熱されるので、給湯系受熱管２１内での温度ムラが少なくなる。このため、バーナ１２の燃焼中に通水が開始されても、部分的に高温になっている箇所が無いかあるいはその温度ムラが少ないので、予期せぬ高温の湯が一時的に出てしまうことが防止されるとともに熱交換器のひずみが少なくなり、耐久上好ましい状態となる。
【００３５】
通水が開始された場合には（ステップＳ２０１；Ｙ）、空気比の指示値を１．９に設定し（ステップＳ２１５）、通水が停止するまで、設定温度の湯が出湯されるようにバーナ１２を燃焼させる（ステップＳ２１６、Ｓ２１７；Ｎ）。このときの燃焼量は、設定温度等に応じて設定され、給気量は当該燃焼量に対して空気比が１．９になるように調整される。
【００３６】
その後、通水が停止すると（ステップＳ２１７；Ｙ）、バーナ１２をオフにし（ステップＳ２１８）、済みフラグをリセットして（ステップＳ２１９）、ステップＳ２０１に戻る。これにより、即湯機能がオンになっていれば、先に説明したように、通水の停止後、４５分間、熱交換器１１内の滞留水が所定の温度範囲に保温されることになる。
【００３７】
このように、バーナ１２には、これ以上下げることのできない最小燃焼量が存在するが、空気比を大きくすることで、熱交換器１１の吸熱量を下げることができるので、実質的にバーナ１２の燃焼量を最小燃焼量よりもさらに低下させた場合と同様の効果を得ることができる。たとえば、インプット４５００Ｋｃａｌで熱交換器１１に吸熱される効率が０．８の場合、アウトプットは３６００ｋｃａｌになるが、空気比を大きくして効率が０．６に下がれば、アウトプットは２７００Ｋｃａｌに低下することになる。
【００３８】
なお、空気比を大きくして、熱交換器１１の吸熱量を下げることは、特に、コールドスタート時に有効である。たとえば、冬の朝一番に運転スイッチをオンにして即湯機能を働かせる場合には、初回の出湯前に熱交換器１１内の湯を目標温度まで加熱するために、ほぼ外気温度と等しい水温まで冷えきった熱交換器１１内の滞留水を出湯に必要な温度まで通水の無い状態で加熱する必要がある。
【００３９】
この加熱を大きな燃焼量で行うと、バーナ１２によって直接的に加熱される箇所の水温が、部分的に高温になって沸騰してしまうので、バーナ１２をしばらくオフにし、対流によって熱交換器１１内の水温が平均化されるのを待つことになる。すなわち、燃焼量が大きいほど、急速に部分沸騰が起こるので、バーナ１２のオン時間の占める割合が低下する。このため、熱交換器１１内の滞留水全体を目標温度に加熱するまでに長い時間を要してしまう。
【００４０】
一方、空気比を大きくして熱交換器１１の吸熱量を下げれば、部分沸騰が起こり難くなるので、１回当たりのバーナ１２のオン時間が長くなり、オン時間の占める割合が増加する。ところで、バーナ１２をオンオフ燃焼させた場合に、単位時間当たりにおける熱交換器１１の吸熱量（アウトプット）は、以下のように表すことができる。
【００４１】
アウトプット＝燃焼量Ｑ×効率Ｗ×燃焼オン時間の比率Ｊ
ここでは  燃焼量Ｑは、バーナ１２を連続燃焼させた際の単位時間当たりの燃料量であり、効率Ｗは、バーナ１２のオン中の燃焼量と熱交換器１１の吸熱量との比率を示している。燃焼オン時間の比率Ｊは、オン時間／（オン時間＋オフ時間）で表される。したがって、空気比を高めることによって効率Ｗが低下するが、それ以上に燃焼オン時間の比率Ｊが上昇するので、結果的にアウトプットが増大し、短時間のうちに、目標温度まで滞留水を加熱することが可能になる。
【００４２】
さらに、滞留水の加熱が緩やかに行われるので、部分的に高温に成り難く、熱交換器１１内の水温分布のムラが少なくなる。このため、加熱中等に開栓されても、予期しない高温の湯が出湯され、利用者に不快感を与えるようなことがない。また、緩やかに加熱が成されるので、熱交換器が大きくひずむようなことがない。
【００４３】
また、部分的に高温にならないので、故障の原因になる水中に含まれるカルシウムの析出が起こり難い。
【００４４】
以上説明した実施の形態では、即湯運転中に滞留水の温度に基づいてバーナ１２をオンオフ燃焼させるようにしたが、空気比を大きくすることで熱交換器１１の吸熱量が十分下がれば、連続燃焼させるようにしてもよい。
【００４５】
また実施の形態では、即湯機能のために通水の無い状態でバーナ１２を燃焼させる際の空気比を２．５に設定したが、空気比の値はこれに限らず、３ないし４まで増大させるようにしてもよい。
【００４６】
また実施の形態では一缶二水路型の給湯と追い焚きの例を示したが、これに限定されず、たとえば追い焚き機能を具備しない一缶一水路型の給湯器であってもよい。また、給湯と追い焚きと暖房の各流路を共通の熱交換器で加熱する一缶多水路型給湯機であってもよい。なお、バーナへ供給する燃料はガス以外に石油等であってもかまわない。また、石油等ではガンタイプバーナのようなバーナレスタイプなどでもよい。
【００４７】
【発明の効果】
本発明の給湯機によれば、即湯機能のために通水の無い状態でバーナを燃焼させる際の空気比を、通水のある状態でバーナを燃焼させる際の空気比よりも大きくするので、熱交換器の吸熱量が低下し、滞留水の部分沸騰や温度分布のムラが生じ難くなる。その結果的、１回当たりのバーナの燃焼時間を長くすることができ、保温中の点火回数が減少し、点火装置の劣化低減を図ることができる。
【００４８】
また管内の温度ムラが少なくなるので、予期せぬ高温の湯が出てしまうことが防止されるとともに熱交換器のひずみが少なくなる。
【図面の簡単な説明】
【図１】本発明の一実施の形態に係る給湯機の概略構成を示すブロック図である。
【図２】空気比と一酸化炭素濃度との関係を示す説明図である。
【図３】本発明の一実施の形態に係る給湯機の行う動作の流れを示す流れ図である。
【符号の説明】
１０…給湯機
１１…熱交換器
１２…バーナ
１４…ガス量調整弁
１７…燃焼ファン
２０…給湯流路
２１…給湯系受熱管
２６…水管サーミスタ
２９…出湯サーミスタ
４０…追い焚き流路
４１…追い焚き系受熱管
８０…制御部
８１…オンオフ燃焼制御手段
８２…燃焼状態制御手段
８３…使用状態判別手段
【図１】
0003872908.tif 000002
【図２】
0003872908.tif 000003
【図３】
0003872908.tif 000004